(57)【要約】【課題】開閉部と一体で形成された投入部に投入された硬貨が、開閉部が開く際に散乱することを防止する。【解決手段】硬貨が投入される投入部と、投入部と一体に形成され開閉可能な開閉部と、前記投入部における硬貨の残留を検知する硬貨残留検知部と、前記開閉部の開閉状態を検知する開閉状態検知部と、前記開閉状態検知部により前記開閉部が開いたと検知され、かつ前記硬貨残留検知部により前記投入部での硬貨の残留が検知された場合には、報知を行う報知部と、を備える現金処理装置。【選択図】図６
2015007870.tif 000002
【特許請求の範囲】
【請求項１】
硬貨が投入される投入部と、
投入部と一体に形成され開閉可能な開閉部と、
前記投入部における硬貨の残留を検知する硬貨残留検知部と、
前記開閉部の開閉状態を検知する開閉状態検知部と、
前記開閉状態検知部により前記開閉部が開いたと検知され、かつ前記硬貨残留検知部により前記投入部での硬貨の残留が検知された場合には、報知を行う報知部と、
を備える現金処理装置。
【請求項２】
請求項１に記載の現金処理装置において、
前記開閉部は、長手方向の一端側に開閉支点を有し、
前記投入部は、前記開閉部の長手方向の他端側に形成されており、前記開閉部が開く際に鉛直上方へ移動する、現金処理装置。
【請求項３】
請求項１又は２に記載の現金処理装置において、
投入された硬貨を収納する硬貨収納部を更に備え、
前記開閉部は、閉じた際に前記硬貨収納部を覆う、現金処理装置。
【請求項４】
請求項３に記載の現金処理装置において、
前記投入部は、投入された硬貨を集積し、
入金処理の指示を受けて、前記投入部に集積された硬貨を前記硬貨収納部へ繰り出させる制御部を更に備え、
前記硬貨残留検知部は、前記投入部に集積された硬貨を検知する、現金処理装置。
【請求項５】
請求項１〜４のいずれか１項に記載の現金処理装置において、
前記報知部は、
音を出力して報知する音出力部と、
表示画面に情報を表示して報知する表示部と、
光を発して報知する発光部との少なくとも何れか一つを含む、現金処理装置。
【請求項６】
請求項５に記載の現金処理装置において、
前記表示部は、前記投入部に硬貨が残留していることを示す情報を表示する、現金処理装置。
【請求項７】
請求項５又は６に記載の現金処理装置において、
前記報知部は、前記音出力部、前記表示部、及び前記発光部を含み、
前記音出力部、前記表示部、及び前記発光部は、一緒に報知を行う、現金処理装置。
【請求項８】
請求項１〜７のいずれか１項に記載の現金処理装置において、
前記報知部は、前記硬貨残留検知部により検知された硬貨の残留状態に応じて、異なる報知形態で報知を行う、現金処理装置。
【請求項９】
投入部に投入された硬貨の残留を硬貨残留検知部により検知するステップと、
前記投入部と一体に形成された開閉部の開閉状態を開閉状態検知部により検知するステップと、
前記開閉部が開いたと検知され、かつ前記投入部での硬貨の残留が検知された場合には、報知部により報知を行うステップと、
を含む、現金処理方法。
【発明の詳細な説明】
【技術分野】
【０００１】
本発明は、現金処理装置、及び現金処理方法に関する。
【背景技術】
【０００２】
現金処理装置は、紙幣や硬貨等の現金の入出金を管理する。現金処理装置は、例えば、スーパーマーケットやコンビニエンスストア等の小売店やディスカウントショップ等の大型量販店等の精算所に設置されたレジスタやＰＯＳ（Ｐｏｉｎｔ  Ｏｆ  Ｓａｌｅｓ）用レジスタ等に接続されている。
【０００３】
上記の現金処理装置は、硬貨の入金の際には、操作者により投入部に投入された硬貨を搬送部により搬送して、装置内部の収納部に収納する。また、現金処理装置は、操作者が収納部にアクセスできるように、装置本体に対して開閉可能な開閉部（例えば、カバー）を有する（特許文献１参照）。
【先行技術文献】
【特許文献】
【０００４】
【特許文献１】特開２０１２−２４７９６３号公報
【発明の概要】
【発明が解決しようとする課題】
【０００５】
ところで、現金処理装置の中には、特許文献１に開示された現金処理装置とは異なり、開閉部と投入部が一体に形成されているものがある。かかる現金処理装置において、投入部に硬貨が投入された状態で操作者が開閉部を開けると、投入部内の硬貨が外方へ出てきて散乱する恐れがある。
【０００６】
そこで、本発明は、上記問題に鑑みてなされたものであり、本発明の目的とするところは、開閉部と一体で形成された投入部に投入された硬貨が、開閉部が開く際に散乱することを防止することにある。
【課題を解決するための手段】
【０００７】
上記課題を解決するために、本発明のある観点によれば、硬貨が投入される投入部と、投入部と一体に形成され開閉可能な開閉部と、前記投入部における硬貨の残留を検知する硬貨残留検知部と、前記開閉部の開閉状態を検知する開閉状態検知部と、前記開閉状態検知部により前記開閉部が開いたと検知され、かつ前記硬貨残留検知部により前記投入部での硬貨の残留が検知された場合には、報知を行う報知部と、を備える現金処理装置が提供される。
【０００８】
かかる現金処理装置によれば、開閉状態検知部により開閉部が開いたと検知され、かつ硬貨残留検知部により投入部での硬貨の残留が検知された場合には、報知部が報知を行う。この報知により、操作者は、開閉部を開く際に投入部に硬貨が残留していることに気づく。このため、操作者は、開閉部を開く行為を中止し、又は投入部から硬貨を取り出すことで、硬貨の散乱を回避できる。
【０００９】
また、上記の現金処理装置において、前記開閉部は、長手方向の一端側に開閉支点を有し、前記投入部は、前記開閉部の長手方向の他端側に形成されており、前記開閉部が開く際に鉛直上方へ移動しても良い。
【００１０】
また、上記の現金処理装置において、投入された硬貨を収納する硬貨収納部を更に備え、前記開閉部は、閉じた際に前記硬貨収納部を覆っても良い。
【００１１】
また、上記の現金処理装置において、前記投入部は、投入された硬貨を集積し、前記現金処理装置は、入金処理の指示を受けて、前記投入部に集積された硬貨を前記硬貨収納部へ繰り出させる制御部を更に備え、前記硬貨残留検知部は、前記投入部に集積された硬貨を検知しても良い。
【００１２】
また、上記の現金処理装置において、前記報知部は、音を出力して報知する音出力部と、表示画面に情報を表示して報知する表示部と、光を発して報知する発光部との少なくとも何れか一つを含んでも良い。
【００１３】
また、上記の現金処理装置において、前記表示部は、前記投入部に硬貨が残留していることを示す情報を表示しても良い。
【００１４】
また、上記の現金処理装置において、前記報知部は、前記音出力部、前記表示部、及び前記発光部を含み、前記音出力部、前記表示部、及び前記発光部は、一緒に報知を行っても良い。
【００１５】
また、上記の現金処理装置において、前記報知部は、前記硬貨残留検知部により検知された硬貨の残留状態に応じて、異なる報知形態で報知を行っても良い。
【００１６】
上記課題を解決するために、本発明のある観点によれば、投入部に投入された硬貨の残留を硬貨残留検知部により検知するステップと、前記投入部と一体に形成された開閉部の開閉状態を開閉状態検知部により検知するステップと、前記開閉部が開いたと検知され、かつ前記投入部での硬貨の残留が検知された場合には、報知部により報知を行うステップと、を含む、現金処理方法が提供される。
【発明の効果】
【００１７】
以上説明したように本発明によれば、開閉部と一体で形成された投入部に投入された硬貨が、開閉部が開く際に散乱することを防止ことが可能となる。
【図面の簡単な説明】
【００１８】
【図１】本発明の一実施形態に係る現金処理装置１０の構成の一例を示す斜視図である。
【図２】装置本体１４が筐体１２から引き出された状態を示す図である。
【図３】硬貨処理ユニット２０の内部構成の一例を示す図である。
【図４】開閉部２６の開閉動作を説明するための図である。
【図５】開閉部２６の開動作に伴い投入部２２内の硬貨の散乱を説明するための模式図である。
【図６】現金処理装置１０の機能構成の一例を示すブロック図である。
【図７】表示部５０の表示画面の一例を示す図である。
【図８】一実施形態に係る現金処理装置１０の動作の一例を示すフローチャートである。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．現金処理装置の概要＞
図１及び図２を参照しながら、本発明の一実施形態に係る現金処理装置１０の概要について説明する。図１は、一実施形態に係る現金処理装置１０の構成の一例を示す斜視図である。図２は、装置本体１４が筐体１２から引き出された状態を示す図である。
【００２１】
現金処理装置１０は、例えば、スーパーマーケットやコンビニエンスストア等の小売店やディスカウントショップ等の大型量販店等の精算所に設置されたレジスタやＰＯＳ（Ｐｏｉｎｔ  Ｏｆ  Ｓａｌｅｓ）用レジスタ等に接続された現金釣銭機である。現金処理装置１０は、図１及び図２に示すように、筐体１２と、筐体１２に対して引き出し又は挿入可能な装置本体１４と、を有する。
【００２２】
筐体１２は、装置本体１４を収納する例えば金属製のケースである。装置本体１４は、現金である硬貨や紙幣の入出金を管理する。装置本体１４は、幅方向（図２のＸ方向）の両側にガイドレール１５を有し、ガイドレール１５に沿って筐体１２に対して引き出し又は挿入される。また、装置本体１４は、図２に示すように、硬貨処理ユニット２０と、紙幣処理ユニット３０と、操作部４０と、表示部５０と、発光部６０と、を有する。
【００２３】
硬貨処理ユニット２０は、図２に示すように幅方向の一端側の半分に設けられ、硬貨の入出金を行う。硬貨処理ユニット２０は、装置の前方に、投入部２２、及び排出部２３を有する。投入部２２は、操作者により入金硬貨が投入される投入口の機能を有する。排出部２３は、装置内から出金硬貨が排出される排出口の機能を有する。なお、硬貨処理ユニット２０の内部構成については、後述する。
【００２４】
紙幣処理ユニット３０は、図２に示すように幅方向の他端側の半分に設けられ、紙幣の入出金を行う。紙幣処理ユニット３０は、装置の前方に、紙幣の投入排出部３２を有する。投入排出部３２は、入金紙幣の投入口と、出金紙幣の出金口の機能を有する。
【００２５】
操作者は、装置本体１４が筐体１２から引き出された際に、硬貨処理ユニット２０や紙幣処理ユニット３０に対する操作が可能である。例えば、硬貨処理ユニット２０内で硬貨のジャムが発生した際には、操作者は、装置本体１４を引き出して硬貨処理ユニット２０内の硬貨を取り除く。
【００２６】
操作部４０は、キーやボタン等を有し、操作者の操作を受け付ける。例えば、操作者は、操作部４０により、表示部５０に表示された選択画面にて所望の項目を選択する。操作部４０は、紙幣処理ユニット３０の前方上面に配置されている。
【００２７】
表示部５０は、例えば液晶ディスプレイで構成され、メニュー画面等を表示する。また、表示部５０は、現金取引装置１０の状態を示す情報を表示する。例えば、表示部５０は、詳細は後述するが、投入部２２に硬貨が残留している場合には、その旨を表示して操作者に報知を行う。表示部５０は、紙幣処理ユニット３０の前方上面において操作部４０の隣に設けられている。
【００２８】
発光部６０は、例えばＬＥＤ（発光ダイオード）で構成され、光を発する。また、発光部６０は、詳細は後述するが、投入部２２に硬貨が残留している場合には、光を点灯させ、又は光を点滅させて、操作者に報知を行う。発光部６０は、硬貨処理ユニット２０の投入部２２の周囲に設けられている。
【００２９】
＜２．硬貨処理ユニットの内部構成＞
図３を参照しながら、硬貨処理ユニット２０の内部構成の一例について説明する。図３は、硬貨処理ユニット２０の内部構成の一例を示す図である。なお、図３は、図２に示す硬貨処理ユニット２０をＸ方向から見た図である。
【００３０】
硬貨処理ユニット２０は、図３に示すように、投入部２２と、搬送部２４と、収納部２５と、開閉部２６と、を有する。
【００３１】
投入部２２は、凹状に形成されており、操作者により投入された硬貨を集積する。本実施形態の投入部２２にはシャッタが設けられていないため、操作者はいつでも硬貨を投入部２２に投入可能である。投入部２２は、集積した硬貨を繰り出す繰出し円板２２ａ（図１）を有する。繰出し円板２２ａは、操作者により入金処理が選択されると、回転することにより硬貨を搬送部２４へ向けて繰り出す。
【００３２】
搬送部２４は、搬送ベルト等の搬送部材や搬送路を有し、硬貨を搬送する。例えば、搬送部２４は、入金処理の際に、投入部２２から繰り出された硬貨を収納部２５へ搬送する。搬送路には、硬貨の金種等を鑑別する鑑別部（不図示）が設けられている。また、搬送路には、硬貨の搬送状態を検知するセンサ２４ａが設けられている。これにより、搬送路内の硬貨のジャムを検知できる。
【００３３】
収納部２５は、硬貨を金種別に収納する。収納部２５は、投入部２２に投入され搬送部２４により搬送されてきた入金硬貨を収納する。また、収納部２５は、収納した硬貨を繰り出す機能を有する。例えば、出金処理の際に、搬送部２４は、収納部２５から繰り出された硬貨を排出部２３（図１）へ搬送する。なお、収納部２５は、操作者が着脱可能なカセットであっても良い。
【００３４】
開閉部２６は、硬貨処理ユニット２０の上面側に長手方向（図３のＹ方向）に沿って設けられている。開閉部２６は、長手方向の一端側に位置する開閉支点である回動軸２６ａを中心に開閉可能である。開閉部２６は、閉じている際には搬送部２４や収納部２５を覆っており、カバー部材としての機能を有する。一方、開閉部２６が開いた際には、操作者は、搬送部２４や収納部２５にアクセスできる。例えば、搬送部２４で硬貨のジャムが発生した場合や、収納部２５から硬貨の取り出す場合等に、操作者は、開閉部２６を開けて搬送部２４や収納部２５にアクセスする。
【００３５】
図４は、開閉部２６の開閉動作を説明するための図である。操作者は、図４（ａ）に示すように開閉部２６の投入部２２の側面に形成された把持部２６ｂを指で持ち上げることで、閉状態の開閉部２６が開き始める。そして、把持部２６ｂである程度持ち上げた後、操作者は、図４（ｂ）に示すように投入部２２の底部２２ｂを持ち上げることで、開閉部２６が更に開く。開閉部２６は、最大９０度程度開くことが可能である。開閉部２６が開くと、搬送部２４が露出する。
【００３６】
ところで、本実施形態に係る投入部２２は、開閉部２６と一体に形成されている。具体的には、投入部２２は、開閉部２６の長手方向の他端側に形成されている。このため、開閉部２６が回転軸２６ａを中心に開く際に、図４（ｂ）に示すように投入部２２は鉛直上方へ移動する。そして、投入部２２が上方へ移動（具体的には、回動）することに伴い、以下に説明するように投入部２２に集積された硬貨が散乱する問題が発生する恐れがある。
【００３７】
（投入部２２に集積された硬貨の散乱について）
図５は、開閉部２６の開動作に伴い投入部２２内の硬貨の散乱を説明するための模式図である。図５（ａ）は、図４（ａ）に示す開閉部２６の閉状態における硬貨Ｃの状態を示し、図５（ｂ）は、図４（ｂ）に示す開閉部２６の開状態における硬貨Ｃの状態を示す。ここでは、図５（ａ）に示すように投入部２２に硬貨Ｃが集積された状態（操作者が硬貨Ｃを取り忘れた状態）で、開閉部２６を開くものとする。
【００３８】
前述したように投入部２２にはシャッタが無いので、開閉部２６が開くと、図５（ｂ）に示すように硬貨Ｃが投入部２２から出てくる。投入部２２から出た硬貨Ｃは、例えば開閉部２６の上面に沿って落下して散乱する。そして、散乱した硬貨Ｃが、装置内部（例えば、紙幣処理ユニット３０）に入ってしまう恐れがある。
【００３９】
さらに、操作者による開閉部２６の開動作は、装置本体１４を筐体１２から引き出した状態で行なわれる（図２参照）。このため、投入部２２から出た硬貨Ｃが、筐体１２の中に入ってしまう恐れがある。
【００４０】
上述した硬貨の散乱を防止すべく、本実施形態に係る現金処理装置１０は、投入部２２に硬貨が集積された状態で開閉部２６が開く際には、操作者に投入部２２に硬貨が残留していることを報知する。これにより、操作者は、開閉部２６を開く行為を中止し、又は投入部２２に残留した硬貨を取り除くことで、硬貨の散乱を防止できる。
【００４１】
＜３．現金処理装置の機能構成例＞
図６を参照しながら、硬貨の散乱を防止するための報知を行うための現金処理装置１０の機能構成の一例について説明する。図６は、現金処理装置１０の機能構成の一例を示すブロック図である。
【００４２】
現金処理装置１０は、図６に示すように、硬貨残留検知部１０２と、開閉状態検知部１０４と、制御部１０６と、記憶部１０８と、報知部１１０と、を有する。
【００４３】
硬貨残留検知部１０２は、投入部２２における硬貨の残留を検知する機能を有する。具体的には、硬貨残留検知部１０２は、投入部２２に投入された硬貨であって、繰出し円板２２ａによって搬送部２４へ繰り出されずに集積された硬貨を検知する。投入部２２の内部には、硬貨を検知する検知センサが配置されている。硬貨残留検知部１０２は、当該検知センサの検知結果（硬貨の有無）に基づいて、硬貨の残留を検知する。なお、硬貨残留検知部１０２は、投入部２２に集積された硬貨の枚数も検知しても良い。
【００４４】
開閉状態検知部１０４は、開閉部２６の開閉状態を検知する機能を有する。硬貨処理ユニット２０には、開閉部２６の開閉を検知する検知スイッチが設けられている。開閉状態検知部１０４は、当該検知スイッチの検知結果に基づいて、開閉部２６の開閉状態を検知する。開閉状態検知部１０４は、開閉部２６の閉状態からの回転角度を検知しても良い。
【００４５】
制御部１０６は、硬貨処理ユニット２０全体の動作を制御する。例えば、制御部１０６は、入金処理の指示を受けて、投入部２２に集積された硬貨を収納部２５へ繰り出させる。また、制御部１０６は、報知部１１０を制御して、操作者に投入部２２の硬貨の残留を報知する。
【００４６】
記憶部１０８は、硬貨処理ユニット２０が動作するためのプログラム等を記憶する。また、記憶部１０８は、硬貨残留検知部１０２や開閉状態検知部１０４の検知結果を記憶しても良い。
【００４７】
報知部１１０は、開閉状態検知部１０４により開閉部２６が開いたと検知され、かつ硬貨残留検知部１０２により投入部２２での硬貨の残留が検知された場合に、報知を行う機能を有する。すなわち、異常が発生し、かつ異常を解消するための措置を操作者に促す報知が、行なわれる。これにより、操作者は、異常が発生したことに気づき、例えば開閉部２６を開く行為を中断することになる。また、操作者は、投入部２２に残留する硬貨を取り除くことになる。この結果、投入部２２に残留している硬貨が散乱することを防止できる。なお、報知部１１０は、硬貨の散乱をより効果的に防止するために、開閉部２６が開き始めた直後に報知を開始することが望ましい。
【００４８】
本実施形態に係る報知部１１０は、表示部５０、発光部６０、及び音出力部７０を含む。このように３種類の報知部を有することで、多様な形態で操作者に報知を行うことができるため、操作者は、開閉部２６が開いている際に異常が発生したことを気づきやすくなる。
【００４９】
表示部５０は、表示画面に情報を表示して操作者に報知する。具体的には、表示部５０は、図７に示すように、投入部２２に硬貨が残留していることを示す情報を表示する。この表示を見ることで、操作者は、投入部２２の硬貨が散乱する恐れがあることに気づきやすくなる。この結果、操作者は、開閉部２６を開く行為を中断しやすくなる。
【００５０】
図７は、表示部５０の表示画面の一例を示す図である。図７では、投入部２２に硬貨が残留していることを示す情報として、「投入口に硬貨があります！」というメッセージＭが表示されている。これにより、操作者は、投入部２２の硬貨が散乱する恐れがあることを直感的に気づく。なお、メッセージは図７に示す内容に限定されず、操作者が投入部２２の硬貨の残留に気づける表示形態であれば、どのような内容であっても良い。
【００５１】
発光部６０は、光を発して操作者に報知する。例えば、発光部６０は、光を点灯、又は点滅して操作者に報知する。発光部６０は前述したように投入部２２の周囲に設けられているので、操作者は、開閉部２６を開く際に投入部２２に異常があると気づきやすくなる。
【００５２】
音出力部７０は、音を出力して操作者に報知する。例えば、音出力部７０は、警告音としてブザーを鳴動して操作者に報知する。音出力部７０は、一つの音を出力しても良いし、複数の音を出力しても良い。音を出力して報知することで、目の不自由な操作者でも、異常に気づきやすくなる。なお、音出力部７０は、警告音に代えて、硬貨の残留を示す音声を出力しても良い。
【００５３】
本実施形態では、表示部５０、発光部６０、及び音出力部７０は、一緒に報知を行う。このように複数の報知手段が同時に報知を行うことで、操作者は、開閉部２６が開く際に投入部２２に硬貨が残留していることに気づきやすくなる。
【００５４】
また、報知部１１０は、硬貨残留検知部１０２により検知された硬貨の残留状態（例えば、残留している硬貨の枚数）に応じて、異なる報知形態で報知を行っても良い。例えば、投入部２２に残留している硬貨の枚数が少ない場合には、表示部５０と発光部６０と音出力部７０のいずれか一つが報知を行い、投入部２２に残留している硬貨の枚数が多い場合には、表示部５０、発光部６０、及び音出力部７０が報知を行なっても良い。また、硬貨の残留枚数が多い場合には音出力部７０によるブザーの鳴動音を大きくし、硬貨の残留枚数が少ない場合にはブザーの鳴動音を小さくしても良い。これにより、操作者は、開閉部２６が開く際の異常レベルを知覚できる。
【００５５】
報知部１１０は、開閉部２６が開いたと検知され、かつ投入部２２に硬貨が残留していると検知されている間は、報知を継続する。これにより、操作者は、異常を解消するための措置を取る必要性に迫られやすくなる。一方で、報知部１１０は、報知開始後に、開閉部２６が閉状態になったと検知された場合や、投入部２２の硬貨が残留していないと検知された場合には、報知を中止する。これにより、操作者は、異常が解消されたことを知覚できる。
【００５６】
上記では、報知部１１０として、表示部５０、発光部６０、及び音出力部７０が設けられていることとしたが、これに限定されない。例えば、報知部１１０は、表示部５０と、発光部６０と、音出力部７０の少なくとも何れか一つを含んでも良い。いずれか一つが報知を行うことで、開閉部２６が開く際の異常に気づくことができる。また、表示部５０、発光部６０、及び音出力部７０は、一緒に報知を行わなくても良い。例えば、開閉部２６の閉状態からの回転角度が大きくなるにつれて、報知を行う数を増やしても良い。
【００５７】
＜４．現金処理装置の動作例＞
図８を参照しながら、一実施形態に係る現金処理装置１０の動作の一例について説明する。図８は、一実施形態に係る現金処理装置１０の動作の一例を示すフローチャートである。
【００５８】
本動作は、例えば制御部１０６のＣＰＵが、ＲＯＭに記憶されているプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００５９】
図８のフローチャートは、操作者が投入部２２に硬貨を投入したところから開始される（ステップＳ１０２）。硬貨の投入後、操作者が入金処理を選択すれば、投入部２２の硬貨は収納部２５へ搬送され、投入部２２に硬貨は残留しない。一方で、操作者が入金処理を選択しないと、投入部２２に硬貨が残留する。
【００６０】
次に、制御部１０６は、開閉状態検知部１０４により開閉部２６が開いているか否かを判定する（ステップＳ１０４）。搬送部２４の搬送路において硬貨のジャムが発生し、又は操作者が収納部２５にアクセスする場合には、操作者が開閉部２６を開ける。ステップＳ１０４で開閉部２６が開いていると判定された場合には（Ｙｅｓ）、制御部１０６は、硬貨残留検知部１０２により投入部２２に硬貨が残留しているか否かを判定する（ステップＳ１０６）。
【００６１】
ステップＳ１０６で硬貨が残留していると判定された場合には（Ｙｅｓ）、制御部１０６は、報知部１１０により操作者に報知を行う（ステップＳ１０８）。具体的には、表示部５０が表示画面に情報を表示して報知し、発光部６０が光を発して報知し、音出力部７０が音を出力して報知する。これにより、操作者は、異常に気づき、開閉部２６を開く動作を中止し、又は投入部２２の硬貨を取り除く。
【００６２】
ステップＳ１０６で投入部２２に硬貨が残留していない場合には（Ｎｏ）、制御部１０６は、報知部１１０による報知を行わない。
【００６３】
報知部１１０による報知開始後、制御部１０６は、開閉状態検知部１０４により開閉部２６が閉じたと検知され、又は硬貨残留検知部１０２により投入部２２の硬貨が取り除かれたか否かを判定する（ステップＳ１１０）。ステップＳ１１０で開閉部２６が開いており、かつ投入部２２に硬貨が残留していると判定された場合には（Ｎｏ）、制御部１０６は、報知部１１０による報知を継続する。
【００６４】
一方で、ステップＳ１１０で開閉部２６が閉じ、又は投入部２２の硬貨が取り除かれた場合には（Ｙｅｓ）、制御部１０６は、報知部１１０による報知を終了する（ステップＳ１１２）。これにより、操作者は、異常が解消されたことを理解できる。これにより、一連の動作が完了する。
【００６５】
＜５．まとめ＞
上述した現金処理装置１０によれば、図８に示すように、開閉状態検知部１０４により開閉部２６が開いたと検知され、かつ硬貨残留検知部１０２により投入部２２での硬貨の残留が検知された場合には、報知部１１０が報知を行う。具体的には、表示部５０、発光部６０、及び音出力部７０により、操作者に報知を行う。
【００６６】
この報知により、操作者は、開閉部２６を開く際に投入部２２に硬貨が残留していることに気づく。このため、操作者は、開閉部２６を開く行為を中止し、又は投入部２２から硬貨を取り出すことで、投入部２２に残留した硬貨の散乱を防止できる。この結果、散乱した硬貨が、筐体１２や紙幣処理ユニット３０等に入ることを防止できる。
【００６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６８】
１０    現金処理装置
１２    筐体
２０    硬貨処理ユニット
２２    投入部
２４    搬送部
２５    収納部
２６    開閉部
５０    表示部
６０    発光部
７０    音出力部
１０２    硬貨残留検知部
１０４    開閉状態検知部
１０６    制御部
１１０    報知部
【図１】
2015007870.tif 000003
【図２】
2015007870.tif 000004
【図３】
2015007870.tif 000005
【図４】
2015007870.tif 000006
【図５】
2015007870.tif 000007
【図６】
2015007870.tif 000008
【図７】
2015007870.tif 000009
【図８】
2015007870.tif 000010